(57)【特許請求の範囲】
【請求項１】
床版の側端部に立設された連続繊維補強材と、前記連続繊維補強材を収容可能な貫通孔を有し、この貫通孔に前記連続繊維補強材を収容するようにして前記床版の前記側端部の上に設置されたプレキャスト壁材と、前記貫通孔内の隙間に充填されたセメント系充填材とを具備し、前記連続繊維補強材は、より線状に成形され、前記プレキャスト壁材の前記貫通孔内に位置する部位の一部が定着補強部として機能するようによりが解かれてなる
道路橋防護柵。
【請求項２】
請求項１に記載の道路橋防護柵であって、
前記定着補強部は、よりを解いた複数の素線の先端部分を結束具を用いて束ねることによって提灯状に形成される
道路橋防護柵。
【請求項３】
一部のよりを解いて定着補強部が形成されたより線状の連続繊維補強材を準備する工程と、床版の側端部に前記連続繊維補強材立設する工程と、前記連続繊維補強材を収容可能な貫通孔を有するプレキャスト壁材の前記貫通孔に前記連続繊維補強材の前記定着補強部を含む部位を挿入しながら前記床版の前記側端部の上にプレキャスト壁材を設置する工程と、前記貫通孔内の隙間にセメント系充填材を充填する工程と
を有する道路橋防護柵の設置方法。
【発明の詳細な説明】
【技術分野】
【０００１】
本発明は、例えば橋梁等の路面側端部に設置されるプレキャスト壁高欄等の道路橋防護柵及びその設置工法に関する。
【背景技術】
【０００２】
道路橋には、路面からの車両の逸脱、転落防止を目的として防護柵や防護壁が設けられている。防護柵には、例えば、適宜間隔に支柱を立てて複数本のレールを水平方向に配置する鋼製の構造などがある。防護壁には、例えば、地覆上に連続した壁を立設するコンクリート製の構造がある。コンクリート構造の防護壁は、現地にて鉄筋及び型枠を組み立て、コンクリートを打設する方法が一般的である。
【０００３】
工期短縮を目的としてプレキャスト部材を工場で製作して現地に搬入し、床版側端部と接合して防護柵を構築する方法もある。この場合の接合方法として、
１．床版とプレキャスト部材の双方から鉄筋を突出させ、両者を現地で打設するコンクリートで一体化する。
２．アンカーボルトにより両者を緊結する（例えば、特許文献１参照）。
３．ＰＣ鋼材を配置してプレストレスにて両者を一体化する（例えば、特許文献２参照）。
等の方法がある。
【先行技術文献】
【特許文献】
【０００４】
【特許文献１】特開平０９−２９６４１４号公報
【特許文献２】特開２００２−１４６７２１号公報
【発明の概要】
【発明が解決しようとする課題】
【０００５】
しかしながら、１の方法は、プレキャスト部材の仮保持、現地での鉄筋の組み立て、型枠の組み立て、コンクリートの打設などの作業を必要とするため、作業が煩雑であり、時間がかかり、コストの低減が困難であった。
【０００６】
２の方法は、所定の強度を確保するためにより多くのアンカーボルトが必要である。多数のアンカーボルトが使われると、アンカーボルトにナットを締付けるための空間を多数設ける必要があり、コンクリート部材の断面欠損が多くなり、かえって耐力が低下するおそれがあった。また、プレキャスト部材の設置作業時にプレキャスト部材とアンカーボルトとの接触が起こりやすく、接触した場合、プレキャスト部材やアンカーボルトを損傷させるおそれがあった。さらに、多数のアンカーボルトを使用すると、ボルトの締め付け作業やトルク管理に時間がかかるという問題もあった。
【０００７】
３の方法は、ＰＣ鋼材の配置やプレストレスの導入・定着作業が必要であるため、緊張ジャッキ、緊張ポンプ、定着具が必要であり、コストが高くなる。また、緊張作業の管理も必要である。
【０００８】
また、１から３の工法は、一般的な鉄筋や鋼製の緊張材・定着具を使用するため、それらの鋼材の腐食・劣化のおそれがある。例えば、降雨による湿食や、特に寒冷地で用いられる凍結防止剤（塩化ナトリウム）の散布によって発生する塩化物イオンによる腐食などが考えられる。これらの対策として、コンクリートのかぶり厚さを大きくとる、コンクリート表面を被覆する程度の対策しかなかった。
【０００９】
そこで、鉄筋等の鋼材に比べ軽量で引張強度が高く、水分や塩分に対して優れた耐腐食性を有する連続繊維補強材を道路橋防護柵の補強材として用いる工法が本発明者らにより検討されている。この工法によれば、連続繊維補強材の高い強度を十分活かすことができれば道路橋防護柵の十分な補強が可能である。しかしながら、この工法では、連続繊維補強材の強度を活かすための十分な定着長さをどのようにして確保すべきかが課題となる。連続繊維補強材に特殊な定着装置を取り付けるなどして連続繊維補強材の定着強度を高める方法などが検討されたが、この方法では、定着装置を連続繊維補強材に取り付けるための煩雑な作業が発生し、コストの増大をも招くことが問題となる。
【００１０】
以上のような事情に鑑み、本発明の目的は、耐久性に優れ、工期短縮が可能な道路橋防護柵及びその設置工法を提供することにある。
【課題を解決するための手段】
【００１１】
上記目的を達成するため、本発明の一形態に係る道路橋防護柵は、床版の側端部に立設された連続繊維補強材と、前記連続繊維補強材を収容可能な貫通孔を有し、この貫通孔に前記連続繊維補強材を収容するようにして前記床版の前記側端部の上に設置されたプレキャスト壁材と、前記貫通孔内の隙間に充填されたセメント系充填材とを具備し、前記連続繊維補強材は、より線状に成形され、前記プレキャスト壁材の前記貫通孔内に位置する部位の一部が定着補強部として機能するようによりが解かれてなる。
【００１２】
本発明に係る道路橋防護柵は、連続繊維補強材を補強材として用いたことによって、高強度で、水分や塩分等による腐食による耐久性の低下を防止することができるとともに、より線状の連続繊維補強材のプレキャスト壁材の貫通孔内に位置する部位の一部のよりを解いて定着補強部を形成したことによって、連続繊維補強材のセメント系充填材との付着面積を増大させ、連続繊維補強材の定着強度を高めることができる。これにより、連続繊維補強材の強度を活かして道路橋防護柵の十分な補強が可能になる。
【００１３】
定着補強部は、よりを解いた複数の素線の先端部分を結束具を用いて束ねることによって提灯状に形成されたものであってよい。このことにより、連続繊維補強材のセメント系充填材との付着面積を増大させるとともに、よりを解いた部分の隙間にセメント系充填材が入り込み大きな塊となり機械的な引抜き抵抗を増し、連続繊維補強材の定着強度を高めることができる。
【００１４】
また、よりを解いた複数の素線の先端部分を結束具を用いて束ねたことで、プレキャスト壁材の貫通孔に連続繊維補強材を挿入する際に、連続繊維補強材においてよりを解かれた素線が貫通孔の入口端面や内壁面で接触して変形したりすることを回避できる。これにより、プレキャスト壁材の貫通孔に連続繊維補強材を挿入する作業が容易になり、工期短縮を図ることができる。
【００１５】
さらに、本発明に係る他の形態である道路橋防護柵の設置工法は、一部のよりを解いて定着補強部が形成されたより線状の連続繊維補強材を準備する工程と、床版の側端部に前記連続繊維補強材立設する工程と、前記連続繊維補強材を収容可能な貫通孔を有するプレキャスト壁材の前記貫通孔に前記連続繊維補強材の前記定着補強部を含む部位を挿入しながら前記床版の前記側端部の上にプレキャスト壁材を設置する工程と、前記貫通孔内の隙間にセメント系充填材を充填する工程とを有する。
【発明の効果】
【００１６】
本発明によれば、連続繊維補強材を補強材として用いたことによって、高強度で、水分や塩分等による腐食による耐久性の低下を防止することができるとともに、より線状の連続繊維補強材のプレキャスト壁材の貫通孔内に位置する部位の一部のよりを解いて定着補強部を形成したことによって、連続繊維補強材のセメント系充填材との付着面積を増大させ、連続繊維補強材の定着強度を高めることができる。これにより低コストで道路橋防護柵の耐久性を向上させることができる。また、道路橋防護柵の設置のための工期短縮を図ることができる。
【図面の簡単な説明】
【００１７】
【図１】本発明の一実施形態に係るプレキャスト壁高欄の構造を橋軸方向から示す縦断面図である。
【図２】図１のＡ−Ａ´線断面図である。
【図３】本実施形態で採用されるより線状の連続繊維補強材を示す側面図である。
【図４】図１のプレキャスト壁材に設けられた貫通孔の詳細断面図である。
【図５】プレキャスト壁高欄の設置工程を示す縦断面図である。
【図６】プレキャスト壁高欄の設置工程を示す縦断面図である。
【図７】プレキャスト壁高欄の設置工程を示す縦断面図である。
【図８】プレキャスト壁高欄の設置工程を示す縦断面図である。
【図９】本発明に係るプレキャスト壁高欄の構造の変形例を示す縦断面図である。
【発明を実施するための形態】
【００１８】
以下、図面を参照しながら、本発明の実施形態を説明する。
図１は本発明の一実施形態に係る道路橋防護柵であるプレキャスト壁高欄１の構造を橋軸方向から示す縦断面図、図２は図１のＡ−Ａ´線断面図である。
【００１９】
（プレキャスト壁高欄１の構造の概要）
これらの図に示すように、道路橋の床版２の両側の側端部２ａの上面２ｃには、この床版２の側端部２ａの上に立設されるプレキャスト壁高欄１の補強材としての複数の連続繊維補強材３が直立に立設される。これらの連続繊維補強材３は橋軸方向に所定の間隔で立設されている。一方、プレキャスト壁材４は連続繊維補強材３を個々に収容可能な複数の貫通孔４ａを有し、これらの貫通孔４ａに連続繊維補強材３を収容するようにして立設される。そして、プレキャスト壁材４の各貫通孔４ａ内に高流動性を有するセメント系充填材５が充填される。
以下、各々の構成について説明する。
【００２０】
（床版２及び連続繊維補強材３について）
床版２は、例えばプレキャストコンクリート製、現場打ち鉄筋コンクリート製などのコンクリート系材料により構成される。床版２の側端部２ａの上面２ｃには、少なくとも橋軸方向に所定の間隔を置いて複数の連続繊維補強材３が直立に立設される。
【００２１】
連続繊維補強材３には、例えば、炭素繊維、アラミド繊維及びガラス繊維の少なくともいずれか１つとエポキシ樹脂及びビニルエステル樹脂の少なくともいずれか１つを組み合せた複合材料が利用される。連続繊維補強材３は、鉄筋等の鋼材に比べ軽量で引張強度が高く、水分や塩分に対して優れた耐腐食性を有する。
【００２２】
連続繊維補強材３は曲げ成型により任意の形状にして用いることができる。本実施形態では、例えば、直径が17.2mmのより線状の連続繊維補強材３をＵ字形に曲げ成型したものなどが用いられる。Ｕ字形の連続繊維補強材３は、そのＵ字形における下部の折返し部分３ａが床版２のコンクリート中に埋め込まれて一体化される。そしてこのＵ字形の連続繊維補強材３の上部の２本の直立部分３ｂが床版２の側端部２ａの上面２ｃから幅員方向に所定の距離を置いた位置で突出させてある（図１及び図４等を参照）。なお、Ｕ字形の連続繊維補強材３ではなく、例えばＬ字形の２本の連続繊維補強材を組み合せて本実施形態と同様の連続繊維補強材３を構成してもよい。また、床版２のコンクリート中に埋め込まれる先端に突起などの定着加工を施して、所要の定着強度を確保した２本の直線の連続繊維補強材を組み合せて本実施形態と同様の連続繊維補強材３を構成してもよい。
【００２３】
図３は本実施形態で採用されるより線状の連続繊維補強材３を示す側面図である。
同図に示されるように、本実施形態では、より線状の連続繊維補強材３が用いられる。より線状の連続繊維補強材３は、１本の素線を芯材３ｄとして、この芯材３ｄの周りに複数本例えば６本の素線３ｅを所定のピッチでより合わせて構成される。
【００２４】
より線状の連続繊維補強材３の、床版２の側端部２ａの上面２ｃから突出させた直立部分３ｂの先端付近の部位には定着補強部３ｃが形成される。この定着補強部３ｃは、より線状の連続繊維補強材３の該当部位のよりを解くことによって形成される。より線状の連続繊維補強材３のよりを解いた部位において、芯材３ｄ、素線３ｅ同士の間に隙間ができるとともに径が広がるため、プレキャスト壁材４の貫通孔４ａ内に充填されるセメント系充填材５との付着面積が増大し、連続繊維補強材３の定着強度が高くなる。
【００２５】
図３に示したように、定着補強部３ｃは、より具体的には、よりを解いた複数の素線３ｅの先端部分を結束具３ｆを用いて芯材３ｄの周りに束ねることによって提灯状に形成してもよい。本例では、提灯状の部分（定着補強部３ｃ）の径Ｒ１を、よりを解いていない部分の径Ｒ０に対して例えば1.7倍程度に拡げた。また、提灯状の部分（定着補強部３ｃ）の長さＬ１は、直径が17.2mmのより線状の連続繊維補強材３の場合では例えば180mm程度とした。
【００２６】
なお、本発明は、必ずしもより線状の連続繊維補強材３の定着補強部３ｃを提灯状にすることに限定されるものではなく、例えば、よりを解いた素線の先端部分の結束をせずに解いたままとしたものであってもよい。このようにしても、プレキャスト壁材４の各貫通孔４ａ内に充填されるセメント系充填材５との付着面積が増大し、連続繊維補強材３の定着強度を向上させることができる。
【００２７】
（プレキャスト壁材４について）
床版２の側端部２ａの上にはプレキャストコンクリート製の壁材であるプレキャスト壁材４が、プレキャスト壁材４自身の設置位置の微調整を可能とするための空隙６ａ（図６参照）の部分に充填された無収縮モルタルや樹脂接着剤などの充填材６と微調整用の治具（図示せず）を介して設置される。
【００２８】
プレキャスト壁材４は、床版２の側端部２ａに立設された各連続繊維補強材３を個々に収容可能な複数の貫通孔４ａを有し、これらの貫通孔４ａに連続繊維補強材３を一本ずつ収容した状態で床版２の側端部２ａの上に充填材６及び高さ調整用の冶具（図示せず）などを介して設置される。連続繊維補強材３が収容された貫通孔４ａ内にはセメント系充填材５が充填される。貫通孔４ａ内に充填されるセメント系充填材５としては、高強度、高流動性、早強性を有するモルタルが用いられる。このようなセメント系充填材５を用いることによって、工期の短縮、貫通孔４ａ内での連続繊維補強材３の定着強度向上を図れる。
【００２９】
貫通孔４ａの内径は、連続繊維補強材３の外周面との間に適度なクリアランスが確保されてセメント系充填材５が貫通孔４ａ内に満遍なく充填されるように選定される。本実施形態では、例えば、40mm程度とされている。
【００３０】
連続繊維補強材３は水分及び塩分等に対して優れた耐腐食性を有するので、プレキャスト壁材４の外壁面から貫通孔４ａまでの厚さは、コンクリート中の鉄筋の腐食進行を低減させるように決められるかぶり厚さ等を考慮しなくてよい。従来工法では70mm程度必要であったかぶり厚は本実施形態では、例えば30mm程度とされている。
【００３１】
貫通孔４ａの内壁面には、例えば、図４に示すように、貫通孔４ａの仮想的な中心軸ＣＬの位置から内壁面までの距離が貫通孔４ａの中心軸ＣＬの方向に沿って連続的に変わるように凹凸４ｅが設けられることが望ましい。これにより、貫通孔４ａの内壁面に対するセメント系充填材５の付着性が向上し、プレキャスト壁材４が水平方向の外圧を受けたとき発生する曲げモーメントによって貫通孔４ａの内壁面への付着部分で硬化後のセメント系充填材５が破断しにくくなる。
【００３２】
運搬及び設置作業の効率化のため、プレキャスト壁材４は、橋軸方向に例えば2mの長さのブロックの単位で製作され、貫通孔４ａは橋軸方向において例えば50cm間隔に設けられる。厚さは例えば25cm、壁厚方向の貫通孔４ａの間隔は貫通孔４ａの中心軸間で例えば15cmである。なお、これらの寸法は一例に過ぎない。
【００３３】
図５及び図６に示すように、床版２の側端部２ａとプレキャスト壁材４との互いの接合面２ｃ、４ｃの間には、プレキャスト壁材４の設置位置の微調整を可能とするために空隙６ａ（図６）が設けられており、微調整後にこの空隙６ａに無収縮モルタルや樹脂接着剤などの充填材６が充填される。床版２の側端部２ａとプレキャスト壁材４との互いの接合面２ｃ、４ｃの間の距離は、ライナープレートまたは硬質ゴムなどの高さ調整用の収具（図示せず）を使って微調整される。プレキャスト壁材４の設置位置の微調整とは、橋軸方向に連続するプレキャスト壁材４の各ブロックの上端面の高さと幅員方向での位置を揃えるための微調整である。高さの微調整についてはライナープレートまたは硬質ゴムなどの高さ調整用の収具（図示せず）を使って行われ、幅員方向での位置を揃えるための微調整は、上記の空隙６ａの部分で連続繊維補強材３をプレキャスト壁材４の調整位置に合せて僅かに曲げることなどによって行われる。
【００３４】
（せん断補強について）
床版２の側端部２ａと無収縮モルタルなどの充填材６との継ぎ手部分のせん断補強のため、図１及び図５等に示すように、床版２の側端部２ａの上面（接合面２ｃ）には第１のせん断キー２ｂが突設されている。
【００３５】
また、プレキャスト壁材４と無収縮モルタルなどの充填材６とのせん断補強のため、床版２の側端部２ａとプレキャスト壁材４との間の空隙６ａ（図６参照）に充填された無収縮モルタルなとの充填材６によって第２のせん断キー６ｂ（図１及び図７参照）が形成されるように、プレキャスト壁材４の接合面４ｃにはせん断キー形成室４ｂ（図６参照）が設けられている。
【００３６】
これらのせん断補強によって、プレキャスト壁材４が水平方向の外圧を受けたときに、その外圧を床版２の側端部２ａに伝達させることができ、床版２の側端部２ａとプレキャスト壁材４の互いの接合部分で破断が生じることを回避できる。
【００３７】
（プレキャスト壁高欄の設置工法）
次に、本実施形態に係るプレキャスト壁高欄の設置工法について説明する。
なお、床版２のためのコンクリート材としてはプレキャストコンクリートが用いられる場合を想定する。この場合、連続繊維補強材３はプレキャストコンクリート工場内で床版２のプレキャストコンクリートの製作時に一体に設けられ、現場に搬入され、設置される。床版２が場所打ちコンクリートの場合には、床版２のコンクリート打設前に連続繊維補強材３を配置しておけばよい。
【００３８】
図５から図８は設置された床版２にプレキャスト壁材４を設置する工程を示す図である。
まず、図５に示すように、クレーンなどによって吊り上げられたプレキャスト壁材４を、床版２の側端部２ａに立設された複数の連続繊維補強材３がプレキャスト壁材４の複数の貫通孔４ａに下から挿入するように位置を合せながら降下させ、図６に示すように、プレキャスト壁材４を床版２の側端部２ａの上に空隙６ａを介して設置する。このとき、ライナープレートまたは硬質ゴムなどの高さ調整用の冶具（図示せず）を用いて、橋軸方向に連続するプレキャスト壁材４の各ブロックの上端面の高さを揃えるための微調整が行われる。同様に各ブロックの幅員方向での位置を揃えるための微調整も行われる。
【００３９】
微調整の完了後、図７に示すように、空隙６ａに無収縮モルタルなどの充填材６が充填される。このとき、プレキャスト壁材４の接合面４ｃに設けられたせん断キー形成室４ｂ内にも充填材６が充填されることによって第２のせん断キー６ｂが得られる。
【００４０】
次に、図８に示すように、プレキャスト壁材４の各貫通孔４ａ内にセメント系充填材５が充填される。このセメント系充填材５の充填は、プレキャスト壁材４の各貫通孔４ａが重力方向に穿たれていることで、プレキャスト壁材４の貫通孔４ａの上側の開口部からのセメント系充填材５の注入によって行われる。これにより、貫通孔４ａ内に連続繊維補強材３を安定して定着させることができる。
以上で、道路橋防護柵であるプレキャスト壁高欄１の設置が完了する。
【００４１】
（効果等について）
本実施形態のプレキャスト壁高欄及びその設置工法によれば、次のような効果が得られる。
【００４２】
１．現地での鉄筋の組み立て、型枠の組み立て、コンクリートの打設などの作業が不必要とであり、従来工法と比較して作業が少なく、時間がかからず、工期の短縮が可能となる。
【００４３】
２．水分や塩分などに対する耐腐食特性に優れた連続繊維補強材３をプレキャスト壁高欄１の補強材として用いたことによって、耐久性の経年的な低下が生じにくく、保守や修繕等に要するコストの低減を図れる。
【００４４】
３．プレキャスト壁材４の設置、空隙６ａへの充填材６の充填、そして貫通孔４ａ内へのセメント系充填材５の充填といった少ない工程で施工することができるとともに、コンクリートの現場打設等による養生期間を要することなく、各工程を続けて行うことができるので、工期の短縮を図れる。
【００４５】
４．連続繊維補強材３は引張強度が高いので、鉄筋等の鋼材を用いた場合に比べて設置間隔を拡げることができる。具体的には本実施形態では、橋軸方向に50cmの間隔で連続繊維補強材３を立設すれば良いのに対し、鉄筋を用いた場合には例えば12.5cm程度の間隔で立設させる必要がある。このため、プレキャスト壁材４を設置する作業において、プレキャスト壁材４と連続繊維補強材３との接触等による損傷の発生頻度を引き下げられる。また、プレキャスト壁材４の補強材収容のための貫通孔４ａの数も減らすことができる。また、アンカーボルトを用いる場合と比較してコンクリート部材の断面欠損が少なくなり、耐力低下のおそれがない。
【００４６】
５．上記のように、連続繊維補強材３の引張強度は同等の径寸法の鉄筋等の鋼材に比べ高く、その高い強度を十分活かせばプレキャスト壁高欄１の十分な補強が可能である。ここで、連続繊維補強材３の強度を十分活かすにはセメント系充填材５との付着長を可及的に長くとる必要がある。ところが、プレキャスト壁材４を自身の貫通孔４ａ内に連続繊維補強材３を下から挿入して設置する場合、連続繊維補強材３と貫通孔４ａは上下直線状にしか構成することができない。したがって、連続繊維補強材３とセメント系充填材５との付着長はプレキャスト壁材４の高さに制限され、結果的に連続繊維補強材３の強度を十分活かすことができる程度の付着長を確保することは難しい。また、連続繊維補強材３に特殊な定着装置を外嵌して連続繊維補強材３の定着強度を上げる方法もあるが、この方法では、定着装置を連続繊維補強材３に取り付けるための煩雑な作業が発生し、コストの増大をも招く。これに対し、本実施形態では、より線状の連続繊維補強材３のプレキャスト壁材４の貫通孔４ａ内に位置する部位の一部のよりを解いて定着補強部３ｃを形成したことによって、連続繊維補強材３のセメント系充填材５との付着面積を増大させ、連続繊維補強材３の定着強度を高めることができる。これにより、連続繊維補強材３の強度を活かしてプレキャスト壁高欄１の十分な補強が可能になる。
【００４７】
６．よりを解いた複数の素線３ｅの先端部分を結束具３ｆを用いて束ねたことで、プレキャスト壁材４の貫通孔４ａに連続繊維補強材３を挿入する際に、連続繊維補強材３においてよりを解かれた素線４ｅが貫通孔４ａの入口端面や貫通孔４ａの内壁面で接触して連続繊維補強材３が変形したりすることを回避することができる。これにより、プレキャスト壁材４の貫通孔４ａに連続繊維補強材３を挿入する作業が容易になり、工期短縮を図ることができる。
【００４８】
（変形例）
プレキャスト壁材４には、鉄筋を補強材として用いたプレキャストコンクリート製のものに代えて、鉄筋等を使用しない代わりに繊維素材を長さ数mmから十数mmに切断した短繊維を練り混ぜた短繊維補強コンクリートや短繊維補強モルタルを用いて製作されたものを採用してもよい。これによって、道路橋防護柵のコンクリートに係わる補強材は、連続繊維補強材３と短繊維の非腐食性材料のみとなり、水分や塩分等による腐食が発生することがなく、耐久性を著しく向上させることができる。
【００４９】
床版の側端部とプレキャスト壁高欄との接合部は、図１に示したように、床版２の上面の高さに設けられるとは限られない。図９に示すように、床版２の側端部２ａが床版２の上面よりも高い位置まで立ち上げて設けられる場合には、その立ち上げて設けられた側端部２ａの上に接合部を介してプレキャスト壁高欄４が接合される。
【００５０】
以上挙げた各部の数的な条件やサイズ条件は、本発明を限定するものではない。
【符号の説明】
【００５１】
１…プレキャスト壁高欄
２…床版
２ａ…側端部
２ｂ…第１のせん断キー
３…より線状の連続繊維補強材
３ｃ…定着補強部
３ｄ…芯材
３ｅ…素線
３ｆ…結束具
４ａ…貫通孔
４…プレキャスト壁材
５…セメント系充填材
【図１】
0006259807.tif 000002
【図２】
0006259807.tif 000003
【図３】
0006259807.tif 000004
【図４】
0006259807.tif 000005
【図５】
0006259807.tif 000006
【図６】
0006259807.tif 000007
【図７】
0006259807.tif 000008
【図８】
0006259807.tif 000009
【図９】
0006259807.tif 000010